(57)【要約】【課題】 偽造されたＩＣモジュールが埋め込まれたＩＣカードの不正使用を防止することのできる端末装置を提供する。【解決手段】端末装置は、スキャナ１ａなどで、挿入されたＩＣカード２の券面を走査して、ＩＣカード２の券面のエンボス文字２１を読取ることで券面情報を取得し、また、リーダライタ１ｂを用いて、ＩＣモジュール２０からカード情報を取得する。そして、端末装置は、取得した券面情報とカード情報とを照合し、端末装置に挿入されたＩＣカード２の正当性を検証する。券面情報とカード情報との照合に成功すれば、ＩＣカード２は偽造されていないＩＣカード２と判定でき、券面情報とカード情報との照合に失敗すれば、ＩＣカード２は偽造されているＩＣカード２と判定し、挿入されたＩＣカード２の使用を中止する。【選択図】図２
2007179157.tif 000002
【特許請求の範囲】
【請求項１】
券面に券面情報が印字され、前記券面情報と対になるカード情報が記憶されているＩＣモジュールが実装されたカード型媒体を装着し使用する端末装置であって、
前記端末装置は、前記カード型媒体の券面を光学的に撮像し、券面に印字された前記券面情報を取得する券面情報取得手段と、前記ＩＣモジュールに電気的にアクセスし、前記ＩＣモジュールから前記カード情報を取得するカード情報取得手段を備え、前記端末装置は、前記券面情報と前記カード情報とを前記端末装置の内部で照合し、装着された前記カード型媒体の正当性を検証することを特徴とする端末装置。
【請求項２】
請求項１に記載の端末装置であって、前記カード型媒体の券面に文字で前記券面情報が印字され、前記端末装置の前記券面情報取得手段は光学式文字読取器を備え、前記端末装置は、前記画像を変換した文字情報と前記カード情報とを、比較、或いは、算術式を用いて照合することを特徴とする端末装置。
【請求項３】
請求項１に記載の端末装置であって、前記カード型媒体の券面にバーコードで前記券面情報が印字され、前記端末装置の前記券面情報取得手段はバーコード読取器を備え、前記端末装置は、前記券面情報と前記カード情報とを、比較、或いは、算術式を用いて照合することを特徴とする端末装置。
【請求項４】
請求項１に記載の端末装置であって、前記カード型媒体の券面に絵柄で前記券面情報が印字され、前記端末装置の前記券面情報取得手段は、前記絵柄を光学的に読取り、読取った前記絵柄の特徴を数値化することで前記参照情報を取得する手段で、前記端末装置は、前記絵柄の特徴を数値化した前記参照情報と前記カード情報とを照合することを特徴とする端末装置。
【請求項５】
券面に印字された券面情報と、前記券面情報と対になるカード情報が記憶されているＩＣモジュールが実装されたカード型媒体の正当性を検証する方法であって、前記カード型媒体の券面を光学的に撮像して、券面に印字された前記券面情報を券面から取得し、前記カード型媒体に実装された前記ＩＣモジュールに電気的にアクセスして、前記ＩＣモジュールから前記カード情報を取得し、前記券面情報と前記カード情報とを照合し、装着された前記カード型媒体の正当性を検証することを特徴とするカード型媒体の検証方法。
【発明の詳細な説明】
【技術分野】
【０００１】
本発明は、プラスチックなどのカード媒体にＩＣモジュールが実装されたＩＣカードを装着し使用する端末装置に関し、更に詳しくは、ＩＣモジュールが埋め込まれたＩＣカードの正当を検証する端末装置および検証方法に関する。
【背景技術】
【０００２】
端末装置と物理的に接触する端子を有する接触型ＩＣカードは、プラスチックなどのカード媒体にＩＣモジュールを接着剤などで固定して製造される。
このように接触型ＩＣカードでは、ＩＣモジュールは物理的にカード媒体に接着されているため、ＩＣカードを偽造する者が、何らかの手段によって、正当なＩＣモジュールをカード媒体から剥離し、正当なＩＣモジュールの代わりに、偽造したＩＣモジュールを埋め込む可能性がある。
【０００３】
偽造したＩＣモジュールが埋め込まれたＩＣカードの不正使用を防止する発明としては、ＩＣカードを利用するときに、ＩＣモジュールに記憶された個人口座番号のデジタル画像を読み取り、読み取った個人口座番号のデジタル画像をディスプレイに表示する装置が、特許文献１で開示されている。
【０００４】
特許文献１で開示されている発明を実施することで、販売店の店員などは、ＩＣカード券面に印字された個人口座番号と、ディスプレイに表示された個人口座番号とを比較することで、偽造したＩＣモジュールが埋め込まれたＩＣカードの不正使用を防止する。
【特許文献１】特開２００５−１１５９０８号公報
【発明の開示】
【発明が解決しようとする課題】
【０００５】
しかしながら、上述した技術では、ＩＣカード券面に印字された個人口座番号は店員などによって確認されるため、有人の端末装置においては有効であるが、銀行などに設置されるＡＴＭなどの無人の端末装置には適用することはできない問題がある。
【０００６】
そこで本発明は、上述した問題を鑑みて、銀行などに設置されるＡＴＭなどの無人の端末装置であっても、ＩＣカードに実装されたＩＣモジュールの正当性を検証し、偽造されたＩＣモジュールが埋め込まれたＩＣカードの不正使用を防止することのできる端末装置および検証方法を提供することを目的とする。
【課題を解決するための手段】
【０００７】
上述した課題を解決する第１の発明は、券面に券面情報が印字され、前記券面情報と対になるカード情報が記憶されているＩＣモジュールが実装されたカード型媒体を装着し使用する端末装置であって、
前記端末装置は、前記カード型媒体の券面を光学的に撮像し、券面に印字された前記券面情報を取得する券面情報取得手段と、前記ＩＣモジュールに電気的にアクセスし、前記ＩＣモジュールから前記カード情報を取得するカード情報取得手段を備え、前記端末装置は、前記券面情報と前記カード情報とを前記端末装置の内部で照合し、装着された前記カード型媒体の正当性を検証することを特徴とする。
【０００８】
また、第２の発明は、第１の発明に記載の端末装置であって、前記カード型媒体の券面に文字で前記券面情報が印字され、前記端末装置の前記券面情報取得手段は光学式文字読取器を備え、前記端末装置は、前記画像を変換した文字情報と前記カード情報とを、比較、或いは、算術式を用いて照合することを特徴とする。
【０００９】
また、第３の発明は、第１の発明に記載の端末装置であって、前記カード型媒体の券面にバーコードで前記券面情報が印字され、前記端末装置の前記券面情報取得手段はバーコード読取器を備え、前記端末装置は、前記券面情報と前記カード情報とを、比較、或いは、算術式を用いて照合することを特徴とする。
【００１０】
また、第４の発明は、第１の発明に記載の端末装置であって、前記カード型媒体の券面に絵柄で前記券面情報が印字され、前記端末装置の前記券面情報取得手段は、前記絵柄を光学的に読取り、読取った前記絵柄の特徴を数値化することで前記参照情報を取得する手段で、前記端末装置は、前記絵柄の特徴を数値化した前記参照情報と前記カード情報とを照合することを特徴とする。
【００１１】
また、第５の発明は、券面に印字された券面情報と、前記券面情報と対になるカード情報が記憶されているＩＣモジュールが実装されたカード型媒体の正当性を検証する方法であって、前記カード型媒体の券面を光学的に撮像して、券面に印字された前記券面情報を券面から取得し、前記カード型媒体に実装された前記ＩＣモジュールに電気的にアクセスして、前記ＩＣモジュールから前記カード情報を取得し、前記券面情報と前記カード情報とを照合し、装着された前記カード型媒体の正当性を検証することを特徴とする検証方法である。
【発明の効果】
【００１２】
上述した本発明によれば、前記カード型媒体の券面から取得した前記券面情報と、前記カード型媒体に実装された前記ＩＣモジュールから取得した前記カード情報とを、前記端末装置の内部で照合することで、銀行などに設置されるＡＴＭなどの無人のシステムであっても、ＩＣカードの正当性を検証し、偽造されたＩＣモジュールが埋め込まれたＩＣカードの不正使用を防止することのできる。
なお、ここで、前記カード型媒体とはＩＣカード、ＳＩＭおよびＵＩＭなど、カード媒体にＩＣモジュールが実装されているカードを意味している。
【００１３】
更に、前記カード型媒体の券面の文字に対応することで、金融系カードの券面に印字された銀行の口座番号やクレジット番号などの数字を利用することができるようになる。なお、前記カード型媒体の券面に印字された文字は、エンボス加工によって形成されたエンボス文字も含む。
【００１４】
更に、前記カード型媒体の券面のバーコードに対応することで、診察券や会員券などの様々なカードに対応できるようになる。
更に、前記カード型媒体の券面の絵柄に対応することで、会社のロゴなどを利用できるようになる。
【発明を実施するための最良の形態】
【００１５】
ここから、本発明に係る端末装置１について、図を参照しながら詳細に説明する。図１は、本発明に係る端末装置１と使用されるＩＣカード２を説明する図である。本発明に係る端末装置１は、ＩＣカード２を所持するユーザに預金引き出しなどのサービスを提供する前に、ユーザが所持ＩＣカード２の正当性を確認するために、少なくとも、ＩＣカード２に実装されたＩＣモジュール２０の正当性を確認する。
【００１６】
ユーザが所持するＩＣカード２は、ＩＣモジュール２０をカード媒体に接着剤などで固定して製造される接触型ＩＣカードで、図１で示しているように、ＩＣカード２の券面には、券面情報（クレジットカード番号のように、ＩＣカードごとに固有のＩＤ番号）を示すエンボス文字２１がエンボス加工によって印字されている。
更に、ＩＣカード２に実装されたＩＣモジュール２０のメモリには、ＩＣカード２の券面に印字されているエンボス文字２１で示されている番号がカード情報として記憶されている。
【００１７】
図２は、端末装置１の機能を説明する図である。本発明に係る端末装置１は、取り分け、銀行に設置されるＡＴＭなどに適し、端末装置１は、スキャナ１ａなどで、挿入されたＩＣカード２の券面を走査し、ＩＣカード２の券面のエンボス文字２１を読取ることで券面情報を取得し、リーダライタ１ｂを用いて、ＩＣモジュール２０からカード情報を取得する。
【００１８】
そして、端末装置１は、取得した券面情報とカード情報とを照合し、端末装置１に挿入されたＩＣカード２の正当性を検証する。券面情報とカード情報との照合に成功すれば、ＩＣカード２は偽造されていないＩＣモジュール２０が実装された正当なＩＣカード２と判定でき、券面情報とカード情報との照合に失敗すれば、ＩＣカード２は偽造されたＩＣカード２と判定し、挿入されたＩＣカード２の使用を中止する。
【００１９】
なお、取得した券面情報とカード情報とを照合する方式は如何なる方式であってもよい。例えば、券面情報とカード情報とが一致／不一致を確認する方式でもよく、また、ある算出式を用いて、券面情報とカード情報とを照合する方式であってもよい。
【００２０】
図３は、端末装置１のブロック図である。ＩＣカード２を装着し使用する端末装置１には、装着されたＩＣカード２の券面を走査し、ＩＣカード２の券面にエンボス文字２１で示される券面情報２１０を読み取る券面情報取得手段１２と、装着されたＩＣカード２と電気的に接続し、ＩＣカード２に実装されたＩＣモジュール２０からカード情報２００を読み取るカード情報取得手段１１と、端末装置１全体を制御するコントローラ１０を備え、コントローラ１０は、装着されたＩＣカード２の正当性を検証するＩＣカード検証手段１００を有している。
【００２１】
端末装置１に備えられ、ＩＣカード２の券面にエンボス加工で印字されたエンボス文字２１から券面情報２１０を読み取る券面情報取得手段１２は、ＩＣカード２の券面に光を照射し、券面からの反射光をＣＣＤ素子で読み取ることで、ＩＣカード２に印字されたエンボス文字２１の画像情報を取得し、エンボス文字２１の画像情報を解析することで、エンボス文字２１によって示される券面情報２１０を取得する。
【００２２】
図２に示したように、券面情報取得手段１２は、スキャナと、スキャナが読み取った画像情報から、パターン認識などで文字を特定する光学式文字読取装置（Optical Character Reader）で実現される。
【００２３】
端末装置１に備えられ、端末装置１に挿入されたＩＣカード２のＩＣモジュール２０からカード情報２００を読み取るカード情報取得手段１１は、挿入されたＩＣカード２のＩＣモジュール２０と物理的に接触することで電気的に接続し、ＩＣカード２に実装されたＩＣモジュール２０とデータの送受信を行う電気回路を有するリーダライタの機構と、少なくとも、ＩＣカード２から情報を読み出す命令を記憶している。
【００２４】
端末装置１全体を制御するコントローラ１０は、中央演算処理装置（ＣＰＵ）とメモリなどからなるコンピュータ回路で実現され、少なくとも、券面情報取得手段１２が読み取った券面情報２１０と、カード情報取得手段１１が読み取ったカード情報２００とを照合し、装着されたＩＣカード２の正当性を認証するＩＣカード検証手段１００を有している。
【００２５】
ここから、端末装置１全体を制御するコントローラ１０のＩＣカード検証手段１００が、券面情報取得手段１２およびカード情報取得手段１１を制御し、端末装置１に装着されたＩＣカード２の正当性を認証する手順について説明する。
【００２６】
図４は、端末装置１に装着されたＩＣカード２の正当性を検証する手順を示したフロー図である。この手順の最初のステップＳ１は、端末装置１にＩＣカード２が挿入されるステップである。例えば、端末装置１がＡＴＭであるときは、端末装置１のカード挿入口に、ＩＣカード２は挿入される。
【００２７】
次のステップＳ２は、端末装置１の券面情報取得手段１２が、ＩＣカード２の券面のエンボス文字２１で示される券面情報２１０を読み取るステップである。このステップでは、端末装置１のコントローラ１０は、券面情報取得手段１２を作動させ、光学的な手段（例えば、スキャナ）で、ＩＣカード２のエンボス文字２１を撮像し、撮像したエンボス文字２１の画像情報をパターンマッチングなどの手法で解析することで、エンボス文字２１で示される券面情報２１０を取得する。
なお、このステップで取得した券面情報２１０は、コントローラ１０のＲＡＭなどに一時的に記憶される。
【００２８】
次のステップＳ３は、端末装置１のカード情報取得手段１１が、ＩＣモジュール２０に記憶されたカード情報２００を読み取るステップである。このステップでは、端末装置１のコントローラ１０は、カード情報取得手段１１を作動させ、カード情報取得手段１１は、ＩＣカード２のＩＣモジュール２０を活性化させた後、情報を読み出す命令をＩＣカード２に送信し、ＩＣカード２からカード情報２００を読み取る。
なお、このステップで読み取ったカード情報２００は、コントローラ１０のＲＡＭなどに一時的に記憶される。
【００２９】
次のステップＳ４は、券面情報２１０とカード情報２００とを照合し、ＩＣカード２の正当性を検証するステップである。このステップでは、端末装置１のコントローラ１０が有するＩＣカード検証手段１００が、予め定められた手法で、券面情報２１０とカード情報２００とを照合し、ＩＣカード２の正当性を検証する。
【００３０】
ステップＳ４で、券面情報２１０とカード情報２００との照合に成功した場合はステップＳ５に進み、券面情報２１０とカード情報２００との照合に失敗した場合は、ＩＣカード２が偽造されている可能性があることを示すメッセージを、端末装置１のディスプレイなどに表示して、この手順を終了する。
【００３１】
また、ステップＳ５では、ＰＩＮ認証やバイオメトリクス認証などの手段で、ＩＣカード２を所持するユーザの正当性を検証した後、端末装置１は、ユーザが所望するサービス（例えば、預金の引き出し）を提供し、この手順を終了する。
【００３２】
なお、上述した実施の形態において、ＩＣカード２の券面には券面情報２１０がエンボス文字２１で印字されていたが、券面情報２１０は、ＩＣカード２の券面にバーコード（１次元、２次元）或いは一般的な絵柄で印字してもよい。
【００３３】
図５は、券面にバーコード（１次元、２次元）や絵柄が印字されたＩＣカード２を示した図で、図５（ａ）は券面に２次元バーコード２１ａが印字されたＩＣカード２で、図５（ｂ）は券面に絵柄２１ｂが印字されたＩＣカード２である。
【００３４】
図５（ａ）のように券面に２次元バーコード２１ａが印字されたＩＣカード２を用いる場合は、端末装置１に備えられた券面情報取得手段１２は、ＣＣＤカメラ１ｃなどで光学的に２次元バーコードを読取り、読取った２次元バーコード２１ａの画像情報を解析して得られる数値を券面情報２１０として取得する手段になる。
【００３５】
また、図５（ｂ）のように券面に絵柄２１ｂが印字されたＩＣカード２を用いる場合は、端末装置１に備えられた券面情報取得手段１２は、ＣＣＤカメラ１ｃなどで光学的に絵柄を読取り、読取った絵柄２１ｂの画像情報の特徴点を算出して得られる値を券面情報２１０として取得する手段になる。
【図面の簡単な説明】
【００３６】
【図１】端末装置と使用されるＩＣカードを説明する図
【図２】端末装置の機能を説明する図。
【図３】端末装置のブロック図。
【図４】ＩＣカードの正当性を検証する手順を示したフロー図。
【図５】券面にバーコードや絵柄が印字されたＩＣカードを示した図。
【符号の説明】
【００３７】
１  端末装置
１０  コントローラ
１００  ＩＣカード検証手段
１１  カード情報取得手段
１２  券面情報取得手段
２  ＩＣカード
２０  ＩＣモジュール
２００  カード情報
２１  エンボス文字
２１０  券面情報
【図１】
2007179157.tif 000003
【図２】
2007179157.tif 000004
【図３】
2007179157.tif 000005
【図４】
2007179157.tif 000006
【図５】
2007179157.tif 000007